(57)【要約】【課題】  その目的とするところは意匠性に優れ、潜像の視認性に優れ、偽造防止及び不正コピー防止に優れる偽造防止印刷物を提供することにある。【解決手段】  基材の上に表面の光沢が異なる艶部と艶消し部を交互に備えた万線からなる偽造防止領域を備えた偽造防止印刷物であって、偽造防止領域の平面構造は、基材の上に艶部と艶消し部を交互に備えた第一の万線からなる潜像領域と、潜像領域の周辺の艶部と艶消し部を交互に備えた第二の万線からなる周辺領域とからなり、第一の万線と第二の万線は万線の傾き角度が異なっており、偽造防止領域の断面構造は、基材の上に万線で形成された下刷り層と、基材の上に形成された表面層を備え、下刷り層が表面層をはじく層であり、下刷り層の上が艶消し部であり、下刷り層が形成されていない表面層の表面が艶部であることを特徴とする。【選択図】        図１
2019084720.tif 000002
【特許請求の範囲】
【請求項１】
基材の上に表面の光沢が異なる艶部と艶消し部を交互に備えた万線からなる偽造防止領域を備えた偽造防止印刷物であって、
前記偽造防止領域の平面構造は、前記基材の上に前記艶部からなる線と前記艶消し部からなる線を交互に備えた第一の万線からなる潜像領域と、前記潜像領域の周辺の前記艶部からなる線と前記艶消し部からなる線を交互に備えた第二の万線からなる周辺領域とからなり、
前記第一の万線と前記第二の万線は万線の傾き角度が異なっており、
前記偽造防止領域の断面構造は、前記基材の上に万線で形成された下刷り層と、前記基材の上に形成された表面層を備え、前記下刷り層が前記表面層をはじく層であり、前記下刷り層の上が前記艶消し部であり、前記下刷り層が形成されていない前記表面層の表面が前記艶部であることを特徴とする偽造防止印刷物。
【請求項２】
前記下刷り層及び前記表面層が透明または半透明であることを特徴とする請求項１に記載の偽造防止印刷物。
【発明の詳細な説明】
【技術分野】
【０００１】
本発明は、商品券、図書券、クーポン券、チケット、ギフトカード、株主優待券等の金券類の偽造防止印刷物に関する。
【背景技術】
【０００２】
従来から、万線で形成した潜像を顕像化させる技術が知られている。例えば、潜像部分と潜像の周辺部分とで万線のピッチ等を変えて形成し、潜像部分と同じピッチの万線を有する判別用フィルムを潜像の上に被せることにより、潜像を顕像化させて視認可能とするものがある。
【０００３】
万線を使用する方法は、スミ等の濃色で万線を印刷し、コントラストをよくするため、一見すると印刷領域内に濃色のベタ領域が存在するように錯覚するため、印刷物の意匠性を損なうという問題があった。
【０００４】
そこで、意匠性を向上させるために印刷物を多色カラー印刷とし、そのうちの特定の１版のスクリーンの角度を他の版と異なるようにして潜像を構成する方法が知られている（例えば、特許文献１参照）。
【０００５】
しかしながら、特許文献１に開示された技術では、特定の１版は実質的に視認性の低い黄色版に限定されることになり、意匠性の自由度が低いという問題がある。
【先行技術文献】
【特許文献】
【０００６】
【特許文献１】特開２００４−２３０５７２号公報
【発明の概要】
【発明が解決しようとする課題】
【０００７】
そこで本発明は、上記問題を解決すべくなされたものであり、その目的とするところは意匠性に優れ、潜像の視認性に優れ、偽造防止及び不正コピー防止に優れる偽造防止印刷物を提供することにある。
【課題を解決するための手段】
【０００８】
本発明は、上記課題を達成するためになされたものであり、請求項１記載の本発明は、基材の上に表面の光沢が異なる艶部と艶消し部を交互に備えた万線からなる偽造防止領域を備えた偽造防止印刷物であって、前記偽造防止領域の平面構造は、前記基材の上に前記艶部からなる線と前記艶消し部からなる線を交互に備えた第一の万線からなる潜像領域と、前記潜像領域の周辺の前記艶部からなる線と前記艶消し部からなる線を交互に備えた第二の万線からなる周辺領域とからなり、前記第一の万線と前記第二の万線は万線の傾き角度が異なっており、前記偽造防止領域の断面構造は、前記基材の上に万線で形成された下刷り層と、前記基材の上に形成された表面層を備え、前記下刷り層が前記表面層をはじく層であり、前記下刷り層の上が前記艶消し部であり、前記下刷り層が形成されていない前記表面層の表面が前記艶部であることを特徴とする偽造防止印刷物である。
【０００９】
また、請求項２に記載の本発明は、請求項１に記載の偽造防止印刷物において、前記下刷り層及び前記表面層が透明または半透明であることを特徴とするものである。
【発明の効果】
【００１０】
本発明の偽造防止印刷物は、意匠性に優れ、潜像の視認性に優れ、偽造防止及び不正コピー防止に優れる。
【図面の簡単な説明】
【００１１】
【図１】本発明に係る偽造防止印刷物の一実施形態を示し、（イ）は平面図、（ロ）は偽造防止印刷物の偽造防止領域の潜像領域と周辺領域の境界部分を部分拡大した説明図である。
【図２】偽造防止領域の断面構造を示す説明図である。
【発明を実施するための形態】
【００１２】
上記の本発明について、図面等を用いて以下に詳述する。
図１は本発明に係る偽造防止印刷物の一実施形態を示し、（イ）は平面図、（ロ）は偽造防止印刷物の偽造防止領域の潜像領域と周辺領域の境界部分を部分拡大した説明図、図２は偽造防止領域の断面構造を示す説明図であり、図中の１は偽造防止印刷物、２は偽造防止領域、３は艶部、４は艶消し部、５は印刷部、５ａは文字、５ｂは数字、５ｃは図柄、５ｄは記号、１０は基材、１１は印刷層、１２下刷り層、１３は表面層、３０は潜像領域、３１は第一の万線、４０は周辺領域、４１は第二の万線、αは第一の万線の傾き角度、βは第二の万線の傾き角度、γは第一の万線と第二の万線が成す挟角、ｗ１は第一の万線の艶部からなる線の幅、ｗ２は第一の万線の艶消し部からなる線の幅、ｗ３は第二の万線の艶部からなる線の幅、ｗ４は第二の万線の艶消し部からなる線の幅をそれぞれ示す。
【００１３】
図１は本発明に係る偽造防止印刷物１の一実施形態を示し、（イ）は平面図、（ロ）は偽造防止印刷物１の偽造防止領域２の潜像領域３０と周辺領域４０の境界部分を部分拡大した説明図である。本発明の偽造防止印刷物１は、図１に示すように基材１０の上に表面の光沢が異なる艶部３と艶消し部４を交互に備えた万線からなる偽造防止領域２を備えている。
図１には一実施形態として偽造防止領域２を備えた商品券の例を示し、商品券の表面には、例えば用途を示す文字５ａ、金額等の数字５ｂ、キャラクター、イラスト、画像等の図柄５ｃ、整理番号等を表示する記号５ｄが印刷された印刷部５を備えている。また、図示していないが、地紋や画像等を全体に印刷してもよい。また、裏面には必要に応じて使用方法等の説明を印刷してもよい。
【００１４】
図１に示すように偽造防止領域２の平面構造は、基材１０の上に艶部３からなる線と艶消し部４からなる線を交互に備えた第一の万線３１からなる潜像領域３０と、潜像領域３０の周辺の艶部３からなる線と艶消し部４からなる線を交互に備えた第二の万線４１からなる周辺領域４０を備えている。図１には潜像領域３０にはＤのアルファベットが表示され、一見するだけでは視認が困難な潜像とされている。潜像領域３０は、アルファベットに限定されるものではなく、数字、文字、記号またはこれらの組み合わせ、あるいは、イラスト、シルエット等の図柄を潜像としてもよい。潜像領域３０は周辺領域４０で囲まれた例を示しているが、偽造防止領域２の外周に接して配置することもできるが、後述するが潜像を顕像化させるとき、潜像領域３０が周辺領域４０で囲まれている方が、より明確に顕像化できるので好ましい。また、図１（ロ）に示すように潜像領域３０と周辺領域４０の境界は潜像領域３０と周辺領域４０が隣接していることが好ましい。また、図示していないが、偽造防止領域２の外周または内周、あるいは両方にマイクロ文字を施しセキュリティ性を高めることが好ましい。
【００１５】
本発明の偽造防止印刷物１は、潜像領域３０を形成する第一の万線３１と周辺領域４０を形成する第二の万線４１は、万線の傾き角度が異なっていることが特徴の一つであり、図１（ロ）に示すように水平線に対して成す第一の万線３１の傾き角度αと水平線に対して成す第二の万線４１の傾き角度βが異なっている。第一の万線の傾き角度αは鈍角であり、第二の万線の傾き角度βは鋭角であり、それぞれの万線は潜像領域３０と周辺領域４０の境界で隣接し、隣接することにより第一の万線３１と第二の万線４１が成す挟角はγであることを示している。また、図１（ロ）に示すｗ１は潜像領域３０の第一の万線３１の艶部３からなる線の幅、ｗ２は第一の万線３１の艶消し部４からなる線の幅を示す。同様にｗ３は周辺領域４０の第二の万線４１の艶部３からなる線の幅、ｗ４は第二の万線４１の艶消し部４からなる線の幅を示す。
【００１６】
第一の万線の傾き角度αは９０°以上が好ましく、第二の万線の傾き角度βは９０°以下が好ましい。また、第一の万線の傾き角度αを９０°以下とし、第二の万線の傾き角度βは９０°以上にしてもよい。そうすることにより、潜像をより鮮明に顕像化できる。第一の万線の傾き角度αを１３５°、第二の万線の傾き角度βを４５°とするか、または、第一の万線の傾き角度αを４５°、第二の万線の傾き角度βを１３５°とすることがより好ましい。すなわち、第一の万線と第二の万線が成す挟角γが９０°とすることがより好ましく、潜像を偽造防止印刷物１の見る角度を変えて視認できたとき、より一層、鮮明に顕像化することができる。第一の万線の艶部からなる線の幅ｗ１、第一の万線の艶消し部からなる線の幅ｗ２、第二の万線の艶部からなる線の幅ｗ３及び第二の万線の艶消し部からなる線の幅ｗ４は０．０５〜０．３ｍｍが好ましい。０，０５ｍｍ未満では艶部３と艶消し部４の光沢差が十分に得られず潜像が不鮮明となる。０，３ｍｍを超えると潜像が見えることがあるので十分な偽造防止効果が得られない。さらに第一の万線３１の艶部３及び艶消し部４の繰り返しピッチ、及び第二の万線４１の艶部３及び艶消し部４の繰り返しピッチは同じにすることが好ましく、潜像領域３０と周辺領域４０の境界において第一の万線３１及び第二の万線４１の艶部３及び艶消し部４同士が相互に隣接するように配置されることがより好ましい。
【００１７】
偽造防止領域２の断面構造は、図２（イ）に示すように、基材１０の表面に例えば、オフセット印刷により文字、数字、記号、図柄、表示などの印刷層１１が設けられ、そして、印刷層１１の表面の偽造防止領域２に例えばオフセット印刷により下刷り層１２が設けられ、さらに、印刷層１１および下刷り層１２の表面上に例えばコーティングにより表面層１３が設けられている。このとき、図２（ロ）に示すように、下刷り層１２が形成されている部分では、下刷り層１２が表面層１３をはじくのでその上の表面層１３を形成するためのコーティング剤がはじかれることにより、下刷り層１２の上が凹凸感のある擬似エンボスが施された艶消し部４となり、一方、下刷り層１２が形成されていない部分では、表面層１３を形成するためのコーティング剤がはじかれることなく艶部３となっている。
【００１８】
つぎに基材１０の上に表面の光沢が異なる艶部３と艶消し部４を交互に備えた万線からなる偽造防止領域２を形成する加工方法について説明する。
【００１９】
本発明の偽造防止印刷物１の基材１０に使用する材料としては、特に限定されるものではないが、例えば、上質紙、模造紙、クラフト紙等の非塗工紙よりはアート紙、コート紙等の塗工紙、アルミ蒸着紙、合成紙、プラスチックフィルム、アルミ蒸着されたプラスチックフィルムなどが効果を得やすい。
【００２０】
まず、基材１０の表面に印刷層１１を設ける。この印刷層１１は、文字、数字、記号、図柄、表示などを印刷する層であり、公知のオフセット印刷方法で設ける。偽造防止領域２を印刷層１１の上にも設ける場合には下刷り層１２と密着性の良いものを選定することが好ましい。
【００２１】
つぎに、印刷層１１ないしは基材１０の上に偽造防止領域２の形成予定位置に下刷り層１２を設ける。この下刷り層１２の上の部分で表面層１３を形成するためのコーティング剤がはじかれて凹凸感のある艶消し部４となり、下刷り層１２が設けられていない部分では、表面層１３を形成するためのコーティング剤がはじかれることなく艶部３となる。下刷り層１２に使用する下刷り用インキは、紫外線硬化型ニスが好ましい。また、表面層１３のコーティング剤とのはじき具合を調整するために下刷り用インキには公知の撥液剤を含有させてもよい。このようにして基材１０の上に艶加工部分と艶消し加工部分との両部分を有するのでそのコントラストにより高意匠性が得られるので偽造防止印刷物以外に高意匠性印刷物としても使用できる。
【００２２】
印刷層１１と下刷り層１２を設けた後、最後に、表面層１３を設ける。この表面層１３は、例えば、コーターにより偽造防止領域２の形成予定位置にコーティング剤をパターンコートすることにより偽造防止領域２を設ける。表面層１３のコーティング剤としては、紫外線硬化型コーティング剤が好ましい。コーティング剤としては、少なくともポリマー、モノマー、光重合開始剤を混合した公知の材料が使用できる。印刷層１１、下刷り層１２及び表面層１３は印刷から表面コーティングまでインラインで形成することが好ましく、既存の紫外線照射装置を搭載したオフセット印刷機械に紫外線照射装置を備えたコーターを接続した製造装置を用いてインラインで製造することができる。下刷り層１２を印刷後、予め紫外線照射して下刷り層１２の硬化を促進させてからコーター部に送り込み、コーター部で表面層１３をパターンコートしたとき、下刷り層１２の表面で表面層１３が確実に弾かせることができるので好ましく、その後、コーター部の紫外線照射装置で紫外線照射し、表面層１３を硬化させることにより、偽造防止印刷物１が製造される。
【００２３】
下刷り層１２及び表面層１３は透明または半透明であることが好ましく、下刷り層１２及び表面層１３を透して印刷層１１が目視できるので意匠性に違和感を与えることがない。また、既存のカラーコピー機で複写しても潜像が現れることがなくより不正コピー防止効果も高まる。
【００２４】
このようにして得られた偽造防止印刷物１は、一見しただけでは偽造防止領域２の潜像領域３０に形成された潜像を視認することは困難であるが、目視角度を変化させると潜像領域３０の潜像が浮かび上がり視認できる。さらにカラーコピー機等で複写しても潜像が複写されることがない。したがって、本発明の偽造防止印刷物１は、意匠性に優れ、潜像の視認性に優れ、偽造防止及び不正コピー防止に優れたものとなる。
【００２５】
つぎに、本発明について実施例を挙げて更に詳述する。
【実施例】
【００２６】
基材１０にマットコート紙１２８ｇ／ｍ2 を用いて、紫外線照射装置を搭載した６色オフセット枚葉印刷機械に接続された紫外線照射装置を搭載したインラインコーターにより、偽造防止印刷物１をインラインで一貫製造した。印刷インキ、下刷りニス、及び表面コーティング剤には下記の紫外線硬化型材料を使用し印刷層１１、下刷り層１２及び表面層１３を形成した。実施例１〜実施例１３、比較例１〜１２は第一の万線及び第二の万線の艶部からなる線の幅、第一の万線及び第二の万線の艶消し部からなる線の幅を表１に示すように変えて偽造防止領域２を形成し図１に示す偽造防止印刷物１を作製した。なお、第一の万線の傾き角度αは１３５°、第二の万線の傾き角度βは４５°とし、第一の万線と第二の万線が成す挟角γは９０°とした。
印刷インキ：ＵＶ  Ｌカートン  シリーズ（株式会社Ｔ＆Ｋ  ＴＯＫＡ）
下刷りニス：ＵＶ  ＨＪＫ下刷りニス（株式会社Ｔ＆Ｋ  ＴＯＫＡ）
表面コーティング剤：ＵＶ  コートニス  ＨＴＡ−Ｗ
【００２７】
実施例１〜実施例１３、比較例１〜１２で得られた偽造防止印刷物について、潜像評価を目視検査で行い、下記の基準で潜像視認性を評価した。結果を表１に示す。
［評価基準］
◎：見る角度を変化させると鮮明に視認できる角度があった。
○：見る角度を変化させると視認できる角度があった。
△：見る角度を変化させると視認可能な角度があった。
×：見る角度を変化させても視認困難であった。
××：見る角度を殆ど変化させることなく、潜像が視認できた。または、視認文字が鮮明でない。
【００２８】
つぎに実施例１〜実施例１３、比較例１〜１２で得られた偽造防止印刷物について、カラーコピー機でコピーを行い、下記の基準で複写性を評価した。結果を表１に示す。
○：潜像が複写されなかった。
×：潜像が複写された。
【００２９】
【表１】
2019084720.tif 000003
【００３０】
表１に示すように実施例１〜１３は潜像視認性、複写性の両方とも良好であった。比較例１〜１２は、複写性は良好であったが、潜像視認性はいずれも劣るものであった。また、潜像領域３０の第一の万線の艶部からなる線の幅ｗ１、第一の万線の艶消し部からなる線の幅ｗ２のいずれかが０．４ｍｍ以上になると見る角度を殆ど変化させることなく、潜像が視認でき、偽造防止の効果が少ないものであった。
【００３１】
なお、今まで説明してきた実施形態は、本発明に係る偽造防止印刷物の一実施形態を挙げたものであって、本発明に係る偽造防止印刷物はこれに限定されるものではなく、本発明の趣旨を逸脱しない範疇のものは、すべて本発明に含まれるものである。
【符号の説明】
【００３２】
１                        偽造防止印刷物
２                        偽造防止領域
３                        艶部
４                        艶消し部
５                        印刷部
５ａ                      文字
５ｂ                      数字
５ｃ                      図柄
５ｄ                      記号
１０                      基材
１１                      印刷層
１２                      下刷り層
１３                      表面層
３０                      潜像領域
３１                      第一の万線
４０                      周辺領域
４１                      第二の万線
α                        第一の万線の傾き角度
β                        第二の万線の傾き角度
γ                        第一の万線と第二の万線が成す挟角
ｗ１                      第一の万線の艶部からなる線の幅
ｗ２                      第一の万線の艶消し部からなる線の幅
ｗ３                      第二の万線の艶部からなる線の幅
ｗ４                      第二の万線の艶消し部からなる線の幅
【図１】
2019084720.tif 000004
【図２】
2019084720.tif 000005